(57)【要約】      （修正有）【課題】デジタル放送の受信装置で、放送電波の届かない時に、各チャンネルの放送内容の概要だけでも把握できるようにする。【解決手段】デジタル放送受信装置Ａは、受信した信号をデコードするデコーダ部１０３と、受信した信号の感度に関するパラメータを検出する受信感度パラメータ検出部１０４と、検出された受信感度に関する判定を行う受信感度判定部１０５と、電子番組表（ＥＰＧ）を取得する電子番組表取得部１１０と、出力するコンテンツを選択するコンテンツ選択部１１１と、コンテンツを蓄積するコンテンツ蓄積部１１２と、表示に関する切り替えを行う表示切り替え部１１３と、を有する。【選択図】図１
2007274190.tif 000002
【特許請求の範囲】
【請求項１】
表示部と、
デジタル放送受信部と、
該デジタル放送受信部により受信したデジタル放送の受信感度パラメータを検出する受信感度パラメータ検出部と、
前記受信感度パラメータ検出手段によって検出された受信感度パラメータから、デジタル放送の電波が届かない状態になったかどうかを判定する判定部と、
前記判定部において放送電波が届いている状態から届かない状態になったと判定された場合に、それまで受信していた放送のジャンルに対応するコンテンツデータに基づいて前記表示部に表示する制御を行う制御部と
を有することを特徴とするデジタル放送受信装置。
【請求項２】
前記デジタル放送から電子番組表を取得する電子番組表取得部と、
規定のジャンルと前記コンテンツデータとを対応させて格納するコンテンツ蓄積部と、
前記電子番組表から取得した前記放送のジャンルに基づいて前記コンテンツ蓄積部に格納されているジャンルに対応するコンテンツデータを選択し、前記表示部に表示させるコンテンツ選択部と
を有することを特徴とする請求項１に記載のデジタル放送受信装置。
【請求項３】
前記コンテンツデータは、文字情報、静止画像および動画像のうちの少なくともいずれか１を含むことを特徴とする請求項１又は２に記載のデジタル放送受信装置。
【請求項４】
前記コンテンツ選択部は、前記コンテンツデータの中から、文字情報、静止画像および動画像のうちの少なくともいずれか１を選択することを特徴とする請求項３に記載のデジタル放送受信装置。
【請求項５】
前記それまで受信していた放送のジャンルに関する情報を記憶するバッファメモリを有することを特徴とする請求項１から４までのいずれか１項に記載のデジタル放送受信装置。
【請求項６】
さらに、前記文字情報、前記静止画、前記動画のうちのいずれを表示させるか、また、複数が表示可能な場合には、いずれを優先させて表示させるかに関する情報をジャンル別に参照可能となっていることを特徴とする請求項３から５までのいずれか１項に記載のデジタル放送受信装置。
【請求項７】
デジタル放送を受信するステップと、
受信したデジタル放送の受信感度パラメータを検出し、検出された前記受信感度パラメータがデジタル放送の視聴ができない程度になった場合に、それまで受信していた放送のジャンルに対応するコンテンツデータを表示するステップと
を有することを特徴とするデジタル放送受信方法。
【請求項８】
コンピュータに、請求項７に記載のステップを実行させるためのプログラム。
【発明の詳細な説明】
【技術分野】
【０００１】
本発明は、デジタル放送の受信装置に関する。
【背景技術】
【０００２】
一般的なデジタル放送の受信装置においては、アナログ放送の場合と異なり、“０”又は“１”のように、受信状態としては、映像が映るか映らないかのいずれかであり、中間の状態がない。図６は、従来のデジタル放送の受信装置の説明図である。デジタル放送の受信装置の場合、図６（a）は放送電波が届いている状態であり、図６（ｂ）は、放送電波が届いていない状態を示している。放送電波が届かない場合、図６（ｂ）に示すように、画面に何も表示されなくなってしまう。従来のアナログ放送では、もっとゆっくりとした曲線を描いて画像が劣化するのに対して、デジタル放送は、放送エリアぎりぎりの場所においては、電波の変動によってこのような現象が起こる。
【０００３】
そこで、受信状態が悪くデジタル放送信号を正常に受信できない場合でも、その替わりに、予め蓄積しておいたコンテンツを再生して出力する機能を備えたものがあった。この機能により、テレビ画面に全く何も映らないという状況を回避することができる（特許文献１参照）。
【０００４】
【特許文献１】特開２００３−１０１４２３号公報
【発明の開示】
【発明が解決しようとする課題】
【０００５】
しかしながら、上記の装置では、番組内容にかかわらず同じコンテンツを再生する仕組みであるため、表示が単調であり、例えば、各チャンネルに対応する番組に関する情報などを得ることはできなかった。
【課題を解決するための手段】
【０００６】
デジタル放送の受信装置において、放送電波の届かない状態になった場合、各チャンネルの放送内容の概要だけでも把握できるように、電子番組表からのデータにより、そのチャンネルの放送内容に応じた文字情報、静止画像あるいは動画像を表示する。
【０００７】
（作用）
受信感度パラメータ検出手段によって検出された受信感度パラメータから、受信装置が放送電波の届かない状態になったかどうか判定する判定手段によって、受信装置が放送電波の届かない状態になったと判定されたときに、それまで受信していた放送の内容に対応する文字情報、静止画像あるいは動画像を選択し、選択された文字情報、静止画像あるいは動画像を表示する。
【発明の効果】
【０００８】
本発明のデジタル放送の受信装置によれば、視聴者は、受信感度が悪い場合に、選択しているチャンネルが、何を受信しているのかに関するおおよその情報を知ることができる。従って、受信感度が悪い場合でも所望のチャンネルを選択しやすい。また、受信感度が悪い場合であっても、飽きが来にくいという利点がある。
【発明を実施するための最良の形態】
【０００９】
以下、図１から図３までを参照しながら、本発明の一実施の形態によるデジタル放送受信装置について説明を行う。尚、以下においては、ＯＦＤＭ信号に基づく受信装置を例にして説明するが、これに限定されるものではない。図１は、本実施の形態によるデジタル放送受信装置の一構成例を示す機能ブロック図である。図１に示すように、本実施の形態によるデジタル放送受信装置Ａは、アンテナ１０１と、デジタル放送受信部１０２と、受信した信号をデコードするデコーダ部１０３と、受信した信号の感度に関するパラメータを検出する受信感度パラメータ検出部１０４と、検出された受信感度に関する判定を行う受信感度判定部１０５と、音声信号の信号処理を行う音声信号処理部１０６と、スピーカ１０７と、映像信号の処理を行う映像信号処理部１０８と、番組の表示を行うディスプレイ１０９と、電子番組表（ＥＰＧ）を取得する電子番組表取得部１１０と、出力するコンテンツを選択するコンテンツ選択部１１１と、コンテンツを蓄積するコンテンツ蓄積部１１２と、表示に関する切り替えを行う表示切り替え部１１３と、後述するジャンル情報を一時的に蓄積しておくバッファメモリ１１４と、を有している。デジタル放送受信部１０２は、チューナ１０２ａと、ＯＦＤＭ復調部１０２ｂと、全体を制御する制御部１１５と、を有している。
【００１０】
図２は、上記デジタル放送受信装置Ａによる処理の流れを示すフローチャート図である。適宜、図１を参照しながら説明を行う。
【００１１】
まず、処理を開始し（スタート）、アンテナ１０１により受信した信号から所定の番組がチューナ１０２ａにより選択される（ステップＳ２０１）。ステップＳ２０１において番組が選択された後に、信号は、ＯＦＤＭ復調部１０２ｂにおいて復調処理が施された後に受信感度パラメータ検出部１０４に送られ、受信感度パラメータが検出される（ステップＳ２０２）。ＯＦＤＭ復調部１０２ｂから出力された信号は、デコーダ部１０３を経て、映像信号と音声信号とにデコードされる（ステップＳ２０３）。電子番組表取得部１１０により取得された電子番組表から、後述するジャンル分類情報を取得する（ステップＳ２０４）。受信感度判定部１０５において、受信感度パラメータと受信感度の限界値との比較を行う（ステップＳ２０５）。表示切替部１１３は、受信感度判定部１０５の出力結果に基づいて、コンテンツ選択部１１１にから選択されたコンテンツと通常の映像との表示を切り替えてディスプレイ１０９に出力する（ステップＳ２０６）。ステップＳ２０６では、条件判定で表示切替を行う場合は、「はい」でステップS２０８に進む。行わない場合は、「いいえ」となりステップＳ２０７に進む。
【００１２】
デコーダ部１０３においてデコードされた音声信号は、音声信号処理部１０６を経由してスピーカ１０７から出力され、デコーダ部１０３において復元された映像信号は、映像信号処理部１０８に対して出力され、ディスプレイ１０９に表示される（ステップＳ２０７）。
【００１３】
【表１】
2007274190.tif 000003
【００１４】
表１に示すように、ジャンルの分類番号と対応する放送内容のジャンルとが、例えばコンテンツ蓄積部１１２内にテーブル形式により記憶させておくのが好ましい。放送内容のジャンルは、ＥＩＴから得られるデータを参考にして決められている。尚、ＥＩＴとは、ＴＳに含まれる番組情報を含むデータ列のことである。ＴＳとは、ＭＰＥＧ−２のストリームで、放送と通信を対象に標準化されたものである。ＥＩＴから得られる情報は、ニュース報道、スポーツ、情報ワイドショー、ドラマ、音楽、バラエティ、映画、アニメ特撮、ドキュメンタリー教養、劇場公演、趣味教育、福祉の１２種類である。したがって、文字情報、静止画像あるいは動画像もそれぞれ１２種類を用意する。ＥＰＧより取得した番組のジャンル情報と、表１に示すジャンル分類とに基づいて、受信中の番組に対応する内容にふさわしい（同じジャンルの）文字情報、静止画像あるいは動画像などを選択することができる。
【００１５】
コンテンツ選択部１１１は、ジャンル分類情報に従って、受信中の番組に対応する文字情報、静止画像あるいは動画像を、コンテンツ蓄積部１１２の中から選択する（ステップＳ２０８）。受信感度判定部１０５により、受信感度が悪くなったと判定された場合には、電子番組表取得部１１０から、現在、受信中のチャンネルの放送番組に対応するジャンルの分類が取り出され、コンテンツ選択部１１１に送られ、そこで、ジャンル別に用意された文字情報、静止画像あるいは動画像が選択されてディスプレイ１０９に表示されるようになる。
【００１６】
ステップＳ２０４の電子番組表取得処理において、放送内容のジャンル情報の取得を行っている。ジャンル情報の取得は、定期的に全チャンネル分をまとめて行う。取得された放送内容のジャンル情報は、バッファメモリ１１４に例えば一時的に記憶される。この記憶されたジャンル情報と表１とを対応させて、表示すべきジャンル別に用意された文字情報、静止画像あるいは動画像を選択する。電子番組表取得処理（ステップＳ２０４）によって、現在、表示中であり、かつ、放送電波が届かないことに起因してディスプレイに何も表示されなくなった放送番組に関する情報、又は、チャンネル切替によって新たに表示しようとしているチャンネルについての情報を得ることができる。尚、バッファメモリ１１４への格納タイミングは、新しい放送に切り替わった後のある時点でも良いし、受信感度パラメータ検出部１０４による受信感度の検出結果が、徐々に悪くなってきた場合に、あるしきい値を超えて、もう少しで放送番組の受信ができなくなりそうになった時点にしても良い。
【００１７】
ステップＳ２０８は、コンテンツ選択処理である。コンテンツ選択処理では、表１に示したジャンルコード表に従って、電子番組表取得処理からのコードとジャンルの対応をとり、コンテンツ蓄積部１１２に格納される文字情報や静止画像、あるいは動画像を選択する。ステップＳ２０９は、コンテンツ表示処理である。番組の映像表示の替わりに、文字情報や静止画像あるいは動画像をディスプレイ１０９に表示する。
【００１８】
図３から図５までは、本実施の形態によるデジタル放送の受信装置の表示内容を示す図である。移動中でのTV視聴において放送電波の届かない場所に移動して入ってしまった場合、本実施の形態による受信装置では、図３（ｂ）に示すように、それまで映っていた放送内容（図３（ａ））のジャンルに対応した文字情報が表示される。或いは、図４（ｂ）に示すとおり、それまで映っていた放送内容（図４（ａ））のジャンルに対応した静止画像が表示される。あるいは、図５（ｂ）に示すとおり、それまで映っていた放送内容（図５（ａ））のジャンルに対応した動画像が表示される。
【００１９】
以上に説明したように、本実施の形態によるデジタル放送の受信装置によれば、視聴者は、受信感度が悪い場合に、選択しているチャンネルが、何を受信しているのかに関する概要を知ることができる。従って、受信感度が回復する前に前もってチャンネル選択を行う場合などに、その内容に基づいて選択を行うことが可能であるという利点がある。
【００２０】
尚、上記の例では、放送信号が検出できなくなる直前に受信した放送の内容のジャンルに基づいて、表示させるコンテンツを選択する技術について説明したが、放送時間とチャンネル番号などと対応させてジャンルを記憶しておけば、任意の放送に関連するコンテンツを表示させることも可能である。
次に、本実施の形態の変形例による技術について、表２を参照しながら説明を行う。
【００２１】
【表２】
2007274190.tif 000004
【００２２】
表２には、分類と表示のジャンルとの対応付けに加えて、分類およびジャンルによって、文字情報、静止画情報、動画情報のうちのいずれを表示させるか、また、複数が表示可能な場合には、いずれを優先させて表示させるかに関する情報が、記載されている。例えば、ニュースでは、文字情報により経過や結果が一目瞭然になるように文字情報が第１番目となっており、次いで、静止画情報、動画情報の順番になっている。スポーツでは、動画、静止画、文字情報の順番になっている。このような、優先順位は、ユーザ操作により変更可能である。このように構成することで、ジャンルに最もふさわしい情報を表示させることができ、受信感度が回復する前に前もってチャンネル選択を行う場合に、適切な内容に基づいて適切な選択を行うことが可能であるという利点がある。
【００２３】
尚、地上デジタル放送の電波を利用して、携帯端末向けに番組（簡易動画）を放送する仕組みを「１セグ」と称する。日本の地上デジタル放送は、「ISDB-T」(Integrated Services Digital Broadcasting Terrestrial)という規格を有しており、階層伝送という特徴がある。すなわち、１セグでは、携帯受信向けのノイズやマルチパスに強い変調方式と、家庭テレビ向けの比較的弱い変調方式と、を「階層」に分けた上で多重化して放送することが可能となっている。ノイズやマルチパスへの耐性は伝送するビットレートとのトレードオフになっている。そこで放送される内容は、画質により「強階層」＝携帯受信向け（簡易動画放送）、「弱階層」＝固定受信向け（HDTV放送）に分類されている。１セグ放送は、この強階層を使った簡易動画放送のことを指す。本発明は、一般的なテレビ受信機以外にも、１セグを利用した放送システムにも適用可能である。
【産業上の利用可能性】
【００２４】
本発明はデジタルテレビ受信機に利用することができる。
【図面の簡単な説明】
【００２５】
【図１】図１は、本実施の形態によるデジタル放送受信装置の一構成例を示す機能ブロック図である。
【図２】デジタル放送受信装置Ａによる処理の流れを示すフローチャート図である。
【図３】本実施の形態によるデジタル放送の受信装置の表示内容を示す図である。
【図４】本実施の形態によるデジタル放送の受信装置の表示内容を示す図である。
【図５】本実施の形態によるデジタル放送の受信装置の表示内容を示す図である。
【図６】従来のデジタル放送受信装置の表示内容を示す図である。
【符号の説明】
【００２６】
Ａ…デジタル放送受信装置、１０１…アンテナ、１０２…デジタル放送受信部、１０３…デコーダ部、１０４…受信感度パラメータ検出部、１０５…受信感度判定部、１０６…音声信号処理部、１０７…スピーカ、１０８…映像信号処理部、１０９…ディスプレイ、１１０…電子番組表取得部、１１１…コンテンツ選択部、１１２…コンテンツ蓄積部、１１３…表示切り替え部、１１３…バッファメモリ、１１５…制御部。
【図１】
2007274190.tif 000005
【図２】
2007274190.tif 000006
【図３】
2007274190.tif 000007
【図４】
2007274190.tif 000008
【図５】
2007274190.tif 000009
【図６】
2007274190.tif 000010